(57)【特許請求の範囲】
【請求項１】
ワンピースである１つの中央軸と、
該中央軸にそれぞれ嵌設される互いに独立した複数のローラと、
該中央軸の所定の位置に嵌設され、折込ローラモジュールを支持するための複数の軸受装置と、
を含み、
該各ローラはそれぞれ複数の突起と複数の凹スロットとを有し、間隔を空けて交互に設置されており、該突起と該凹スロットとの近傍に複数の通気孔を設けられており、
該中央軸に複数の通気路と複数の開口部が設けられており、該各通気路がそれぞれ該中央軸の中心線に平行して設けられ、該各開口部は、該中央軸の円柱面に設けられ、該ローラの該通気孔と該中央軸の該通気路をそれぞれ連通することを特徴とする組合せ式折込ローラモジュール構造。
【請求項２】
該各通気孔の内側孔径は外側孔径より大きくなっていることを特徴とする請求項１に記載の組合せ式折込ローラモジュール構造。
【請求項３】
該中央軸の該開口部の口径は該ローラの該通気孔の孔径より大きいか又は等しいことを特徴とする請求項２に記載の組合せ式折込ローラモジュール構造。
【請求項４】
該各ローラに複数のネジ穴がそれぞれ設けられ、ボルトで該中央軸に締め付けることができることを特徴とする請求項１に記載の組合せ式折込ローラモジュール構造。
【請求項５】
該各軸受装置は一軸受台と一軸受とをそれぞれ含むことを特徴とする請求項１に記載の組合せ式折込ローラモジュール構造。
【発明の詳細な説明】
【技術分野】
【０００１】
本発明は、折込ローラモジュールに関し、特に、組合せ式折込ローラモジュール構造に関するものである。
【背景技術】
【０００２】
まず、図１を参照すると、折込部の一例を表す構造模式図である。図示されているように、該折込部は一組の固定刃１２と、一組の受け刃１４と、一組の折込ローラ１６とを含んでいる。
【０００３】
従来、連続的な原紙１１は該固定刃１２及び該受け刃１４によって一定の長さの用紙に切断されたあと、該折込ローラ１６の間に送り込まれ、該折込ローラ１６の相対する突起１６１と凹スロット１６３との作用により、用紙に折込線が圧出される。その後、さらに折込アーム１８で用紙を既定の箇所に相互に折込み、相互に折込まれた用紙束１３が形成されている。
【０００４】
そのうち、上述の作業工程において、二折込ローラ１６間の隙間は相互に折込まれた用紙の束の品質に対して多大な影響を及ぼしている。もしこの隙間が小さ過ぎると、稼働中に該折込ローラ１６同士がぶつかり合い、用紙の損傷だけでなく、設備寿命を損ね、さらには設備の損傷を引き起こす恐れがある。逆に、もしこの隙間が大き過ぎると、用紙の折込線の圧出効果が好ましくないと同時に、相互に折込まれた用紙束の品質も影響を受ける。
【０００５】
また、従来の該折込ローラ１６は、その両側及び中央にのみ、固定式の軸受装置１７が設置し、三点式の支持機構を形成している。そのため、当該業者の生産量を増加しようとするめに該折込ローラ１６の幅を広げようとしても、上述の問題が顕著なものとなっている。また、幅を広げた折込ローラは、同時に曲げ変形や回転による振動も大きくなるという影響を及ぼす。そのため、どのように折込ローラの構造強度及び稼働時の安定性を強化するかが、急務に解決しなければならない課題となっている。
【発明の概要】
【発明が解決しようとする課題】
【０００６】
本発明の目的は、折込ローラモジュールを提供し、特に組合せ式折込ローラモジュール構造を提供するものである。
【０００７】
本発明のもう一つの目的は、組合せ式ローラ及び軸受装置を利用し、必要に応じて折込ローラのローラと軸受装置の数量と軸受装置の位置を調整することができ、これによって折込ローラの構造強度を強化する組合せ式折込ローラモジュールの構造を提供するものである。
【０００８】
さらに、本発明のもう一つの目的は、必要に応じて軸受装置の数量及び支持位置を増設することができ、これによって折込ローラの曲げ変形を低減し、稼働時の安定性を強化する組合せ式折込ローラモジュール構造を提供するものである。
【課題を解決するための手段】
【０００９】
本発明は、中央軸と、それぞれ該中央軸に嵌設される複数のローラと、必要に応じて該中央軸の適切な位置に嵌設され、該折込ローラモジュールを支持するための該中央軸に嵌設される少なくとも１つの軸受装置と、を含む組合せ式折込ローラモジュールの構造を提供する。
【００１０】
上述の組合せ式折込ローラモジュール構造の一実施例において、該各ローラはそれぞれ複数の突起と複数の凹スロットとを有し、適切な間隔で交互に設置している。
【００１１】
上述の組合せ式折込ローラモジュール構造の一実施例において、該各ローラは該突起と該凹スロットとの近傍に複数の通気孔を設けている。
【００１２】
上述の組合せ式折込ローラモジュール構造の一実施例において、該中央軸に複数の通気路と複数の開口部が設けられており、該各通気路がそれぞれ該中央軸の中心線に平行して設けられる。該各開口部は、該中央軸の円柱面に設けられ、該ローラの該通気孔と該中央軸の該通気路をそれぞれ連通する。
【００１３】
上述の組合せ式折込ローラモジュール構造の一実施例において、該各通気孔の内側孔径は外側孔径より大きくなっている。
【００１４】
上述の組合せ式折込ローラモジュール構造の一実施例において、該中央軸の該開口部の口径は該ローラの該通気孔の孔径より大きくなっている。
【００１５】
上述の組合せ式折込ローラモジュール構造の一実施例において、該各ローラに複数のネジ穴がそれぞれ設けられ、ボルトで該中央軸に締め付けることができる。
【００１６】
上述の組合せ式折込ローラモジュール構造の一実施例において、該各軸受装置は一軸受台と一軸受とをそれぞれ含む。
【図面の簡単な説明】
【００１７】
【図１】折込部の一例を表す構造模式図である。
【図２】本発明に係る一実施例を表す組立図である。
【図３】本発明に係る図２において図示された実施例の一部構成要素の分解図及び拡大図である。
【図４】本発明に係る図２において図示された実施例の断面図である。
【図５】本発明に係る図２において図示された実施例の一部組立図である。
【発明を実施するための形態】
【００１８】
まず、図２乃至図５を参照すると、それぞれ本発明の組合せ式折込ローラモジュール構造に係る一実施例の模式図、一部構成要素の分解及び拡大図、断面図及び一部組立図である。図示されているとおり、本発明の組合せ式折込ローラモジュール２０構造は、一中央軸２２と複数のローラ２４と少なくとも１つの軸受装置２６とを包括している。
【００１９】
該各ローラ２４は、該中央軸２２にそれぞれ嵌設される。該少なくとも１つの軸受装置２６は、必要に応じて該中央軸の適切な位置に嵌設されており、いくつかの支持位置を提供することで折込ローラの曲げ変形を低減し、稼働時の安定性を強化している。
【００２０】
本本発明に係る一実施例において、該各ローラ２４ははそれぞれ複数の突起２４１と複数の凹スロット２４３とを有し、適切な間隔で交互に設置している。
【００２１】
本発明に係る一実施例において、該ローラ２４は該突起２４１と該凹スロット２４３との近傍に複数の通気孔２４７を設け、通気によって用紙が該ローラ２４に付着している。
【００２２】
本発明に係る一実施例において、該中央軸２２に複数の通気路２２１と複数の開口部２２３が設けられている。該各通気路２２１は、それぞれ該中央軸２２の中心線に平行して設けられ、一通気装置（図示略）に連絡するためのである。該各開口部２２３は、該中央軸２２の円柱面２２５に設けられ、該各ローラ２４の該通気孔２４７と該中央軸２２の該通気路２２１を連通するためのである。
【００２３】
本発明に係る一実施例において、ローラ２４における該各通気孔２４７の内側孔径は、外側孔径より大きくなっている。該中央軸２２各開口部223の口径は、該通気孔２４７の孔径より大きいか又は等しい。外側が小さく内側が大きな該通気孔２４７の孔径構造を介して通気孔２４７が塞がるのを防止できる。
【００２４】
本発明に係る一実施例において、該各ローラ２４に複数のネジ穴２４５がそれぞれ設けられ、ボルト（図示略）で該各ローラ２４を該中央軸２１に締め付けることができる。
【００２５】
本発明に係る一実施例において、各軸受装置２６は、一軸受台２６１と一軸受２６３とをそれぞれ含む。適量の該軸受装置２６を該中央軸２１の適切な位置に嵌設することにより、該折込ローラ構造強度を効果的に強化できる。
【００２６】
上述の説明から分かるとおり、本発明の構造を利用し、該折込ローラの幅に基づき該ローラ２４及び軸受装置２６を適量に用い、十分な支持力を提供することで、該折込ローラの曲げ変形を低減し、稼働時の安定性を強化し、折込ローラの回転による振動を低減すると同時に、製品の品質及び生産量を向上することができる。
【００２７】
なお、上述したものは、本発明の実施例に過ぎず、本発明の範囲を限定するものではなく、本発明に係る特許請求の範囲で述べている形状、構造、特徴、方法及びその精神による変化及び修正は、本発明に係る特許請求の範囲に属するものである。
【符号の説明】
【００２８】
１１    原紙
１２    固定刃
１３    用紙束
１４    受け刃
１６    折込ローラ
１６１  突起
１６３  凹スロット
１７    軸受装置
１８    折込アーム
２０    組合せ式折込ローラモジュール
２２    中央軸
２２１  通気路
２２３  開口部
２２５  円柱面
２４    ローラ
２４１  突起
２４３  凹スロット
２４５  ネジ穴
２４７  通気孔
２６    軸受装置
２６１  軸受台
２６３  軸受
【図１】
0005923839.tif 000002
【図２】
0005923839.tif 000003
【図３】
0005923839.tif 000004
【図４】
0005923839.tif 000005
【図５】
0005923839.tif 000006